(57)【要約】      （修正有）【課題】時間軸を含めた４次元空間における再生音楽の精密化を提供する。【解決手段】スピ−カ−ユニットの性能を損なわないバッフル板の最小化としての卵形と、定在波と共振を生じさせない卵形を引き延ばしたスピ−カ−ボックスの形とし、この形を低音〜中高音に応用した。この形は大きくなるに従い製作が難しくなり、大きさの異なる独立した変形スピ−カ−ボックスを連結し各種の音質調整をするという難題があった。それをブロック単位にする事で製作を容易にし、ブロックに外部接続部を付属させることで各種の組み立て分解の機能を持たせ、外部接続部を利用して非常に複雑な音質調整機能を付属させた。極限の性能を追求した結果は究極のデザイン美として結実したのである。【選択図】図１
2006115436.tif 000002
【特許請求の範囲】
スピ−カ−システムを完成させるときに、超低音・低音・中音・高音・超高音等のスピ−カ−ユニットを、それぞれ別のスピ−カ−ボックスに収納し、振動や歪みの相互干渉を最小にし、各種の音質調整機構を保有させ、スピ−カ−ユニットの性能を最大に発揮させる事を目的としたスピ−カ−ボックスシステム。
【請求項１】
スピ−カ−ボックスを分割して制作し、ブロック１・ブロック２・ブロック３・ブロック４等に部分を完成させ、各ブロックを組み立ててスピ−カ−ボックスを完成させる。
この方法で制作すると、従来の考えでは製作不可能と思われる大型や、複雑なスピ−カ−ボックスも、比較的簡単に製作できるようになる。
【請求項２】
ブロックから張り出した形で外部接続部・外部取り付け部・外部張り出し部を設ける。
このブロックから張り出した部分を組み合わせてスピ−カ−ボックスを完成させる。
又、ブロックから張り出した部分を共用し、各種の音質調整機構を保有させる。
【請求項３】
ブロックから張り出した部分を利用し又は張り出した部分を増設し、複数のスピ−カ−ボックスを外部接続部やジョイント等で接続してスピ−カ−ボックスシステム・スピ−カ−システムとして完成させる。このように、ブロックから張り出した部分を利用して取り付ければ、５，１チャンネルスピ−カ−システムや超高域再生のリボンスピ−カ−等を簡単に増設する事が出来る。
【請求項４】
低音から高音までのスピ−カ−ボックスシステムは、接着剤で固定しなければ簡単に一つずつのスピ−カ−ボックスに分離でき、更に各スピ−カ−ボックスを接着剤で固定しなければブロック単位に分解する事ができる。今まで超高音の小さなスピ−カ−を追加する事や超低音のスピ−カ−を５，１チャンネルシステムのように別に追加する事、更にホ−ンスピ−カ−システムのように形状的に一体化出来ない物もあったが、通常のスピ−カ−は簡単に分離・分割出来ないものであった。本発明・考案のように比較的簡単に組立・分解することが出来ると言うことは、接続部を利用し各スピ−カ−ボックスを前後に移動させ音源の時間軸調整や、スピ−カ−ユニット背圧の軽減、低音の量感・質感の調整が出来るようになった。更に密閉型スピ−カ−やバスレフ型スピ−カ−や後面開放型スピ−カ−等に、比較的簡単に変更することが出来る。
この様に分離・分割出来るという事は、小型の２ウエイスピ−カ−や中型の３ウエイスピ−カ−、更に大型の４ウエイスピ−カ−や５ウエイスピ−カ−等のスピ−カ−システムを、比較的簡単に製作する事が出来、使用者が小型から大型まで、部屋の大きさや音の好み、更にデザインの好みを加味してシステム構築が出来る。又小型システムを購入後に、スピ−カ−ボックスと部品の追加等で、中型や大型へのシステムアップが非常に容易である。
【請求項５】
１図の基本デザインから４図と５図が生まれ、６図や７図更に、８図は比較的近接聴取用の高性能モニタ−スピ−カ−として、従来のスピ−カ−の概念を変えスタジオのメインシステムになるものと確信する。システムデザインの妙は２１世紀のエイリアンである。
この様に上記各スピ−カ−ボックスシステムの部分を変形させることで機能やデザインを容易に変更することが可能になる。
若者向けに販売する場合、プラモデルのように組立キットとしても発売すれば、デザインの美しさや、音質の良さだけでなく、物を作る楽しさや、音響の複雑微妙な調整も自分で出来るようになる人が増加し、科学的教育に資すること大であると考える。
この様に本発明は、スピ−カ−ボックスのシステムデザイン及び、スピ−カ−システム・デザインの根本的な革新により、非常に柔軟なシステム構築やシステム改変、及び統合したデザイン変更が容易に行えるようになった事が特徴であり、二十一世紀のスピ−カ−デザインに多大な影響を与え、先導的役割をはたすものと考えられる。
【発明の詳細な説明】
【技術分野】
【０００１】本発明はスピ−カ−による再生音楽の極限の精密化と、生演奏を超える音楽美を目標とし、類い希なデザインによる平和への希求と万人の心の癒しを目的とする。又２１世紀の工業デザインに、極限のシステムデザイン美を提示し革新を促すものである。
【背景技術】
【０００２】従来のスピ−カ−は、３次元空間と時間軸をプラスした４次元時空の正確な音楽再生には不十分であった。特にＳＡＣＤやＤＶＤオ−ディオの膨大な情報量と録音空間を精密に再現することは、スピ−カ−の数を増やしたりスピ−カ−ボックスを大きくしただけではスピ−カ−ユニットの相互干渉やバッフル板内外の反射が加わり解決できない。近年デジタル情報の正確な再生を目指して高音と中音に卵形のスピ−カ−ボックスを使用したスピ−カ−や、フルレンジの卵形スピ−カ−、又バッフル面積を少なくした縦長の大型スピ−カ−及び、内部定在波を少なくした変形スピ−カ−等多様な形態のスピ−カ−が発売されるようになったがそれぞれ一長一短完成度があまり高くない。【０００３】
2006115436.tif 000003
卵形のスピ−カ−ボックスを高音用と中音用に使用している先駆的な会社である。
又、低音にオ−ム貝の様な形をした変形スピ−カ−ボックスを使用したスピ−カ−は、ペアで五〇〇万円もする高額商品であるが、デザインと共にその技術的背景には敬意の念を禁じ得ない程である。【０００４】この様な先進的な技術開発と、デザインに触発されて、各国から様々な変形スピ−カ−ボックスや新技術、又新素材を使用したスピ−カ−ユニットやスピ−カ−が発売されるようになり、一時の隆盛から進歩しなかった国産スピ−カ−の没落を後目に、外国製スピ−カ−百花繚乱の時代へ突入し、新デザイン・新技術搭載の高級スピ−カ−は殆どが外国製という始末である。【０００５】昨年パイオニアから高性能スピ−カ−が、ペアで六百万円という高額商品として発売されたが、スピ−カ−ユニットは国内のプロ用ユニット開発部門が受け持ち、スピ−カ−ボックスは中国で製作し、統合開発はアメリカ在住のイギリス人と言うことである。
スピ−カ−ユニットは新技術・高性能、スピ−カ−ボックスも定在波を極小にし、新素材を駆使したユニ−クなデザインで、音質的な評判も高いようである。【０００６】最近は、卵形のフルレンジスピ−カ−や、ダルマ形のスピ−カ−等、普及価格帯にも国内メ−カ−の新製品が目立つようになり、四角四面のスピ−カ−が殆どを占めていた一昔前のスピ−カ−デザインからの脱却は非常に喜ばしいものがある。
【発明の開示】
【発明が解決しようとする課題】
【０００７】以上に述べた従来の先進的なスピ−カ−をもってしても根本的な未解決の、時間軸を含めた４次元空間における再生音楽の精密化という課題は、各スピ−カ−メ−カ−もデザイン・アイデア・材質等高度な技術を駆使するが未だ十分ではない。【０００８】本発明は従来の問題点を一挙に解決しようとするものであり、スピ−カ−システムデザインという画期的な考案・手法を確立し、２１世紀のスピ−カ−はどうあるべきかを示し、オ−ディオ業界の先導的役割をはたすことを目的とするものである。
【課題を解決するための手段】
【０００９】本発明は目的を達成するためにシステムとしての音質調整機構及びスピ−カ−ボックスの増減と音質調整機構や振動の相互干渉の排除、使用者の各音質調整機構の使用可能性更に非常に難しい製作工程をブロック制作で解決し、ブロックの接続部を利用して従来の問題点を一挙に解決し、その後のシステムの発展性まで可能とした非常に柔軟なスピ−カ−ボックスシステムは本発明が世界に誇れるものである。【００１０】上記第１の課題、音源の時間軸の正確な放射は、ブロックの外部張り出し部や外部接続部を利用してスピ−カ−ボックスを前後に移動調整することで解決する。【００１１】第２の課題・各スピ−カ−ユニットによる振動の相互干渉の悪影響は、スピ−カ−ボックスを独立させジョイントや外部接続部等で接続する事で解決する。【００１２】第３の課題・各スピ−カ−ユニットから放射される音を、他のユニットの影響から最小に保ち音響的には連携させるため、スピ−カ−ボックスを独立させる事で解決する。【００１３】各スピ−カ−ボックス内外の共振の悪影響を回避するため独立した変形スピ−カ−ボックスとしブロックの接続部に緩衝材を挿入すると更に共振を減少させることが出来る。【００１４】ブロックの接続部に適宜な厚みの小さなスペ−サ−をいれてブロックを組み立てると、スピ−カ−ユニットの背圧軽減の音質調整や、低音増強のバスレフ式スピ−カ−となり、ブロックの接続部を隙間無く組み立てると、密閉式スピ−カ−となる。又最後尾を開放すると後面開放型となる。使用者の経験や好みにより多様な音質に変化させることが可能なスピ−カ−は、ブロック製作、独立スピ−カ−ボックスの効果なのである。【００１５】ブロック製作の時に、外部張り出し部・外部接続部等を設けることにより、製作の難かしい変形スピ−カ−ボックスや大型のスピ−カ−ボックスも比較的製作が容易になり、スピ−カ−システム構築の多様性と共に音質の大幅な調整までも可能になった。
【発明の効果】
【００１６】上述したように、録音空間すなわち４次元空間の正確な再現は各スピ−カ−ユニットの適正な配置が欠かせない。殆どの市販スピ−カ−は一体に固定されたもので製作者及び使用者が、多様な音質の調整や音源の位置を調整できるものではなかった。
分解組立できるブロックで制作し、外部張り出し部・外部接続部等を設けることでスピ−カ−ボックスに組立てた時に多様な音質調整機能まで持たせることが出来た。【００１７】多様な音質調整機能を持たせたスピ−カ−ボックスを、システムとして組立てたスピ−カ−ボックスシステムは、極限の性能を追求した結果であり、簡潔な本発明考案から世界に誇れる総合性能と、非常に美しい非凡なデザインが生み出されたのである。
このシステムデザインという革新的な考案は、機能美と音楽美と人心の癒しの美という不思議な美しさをもたらし、まるで２１世紀に現れた異星人・エイリアンのようである。
【発明を実施するための最良の形態】
【００１８】以下、本発明の実施の形態を図１〜図５に基づいて説明する。
【実施例】
【００１９】図においては、低音用スピ−カ−ボックス１Ａと２Ａの外部接続部７と３Ｂの中低音用スピ−カ−ボックスの外部接続部８とを１１の接続ジョイントで接続する。３Ｂの外部接続部８と５Ｃの中高音用外部接続部９を接続し、４Ｂの外部接続部８を９の上部に接続する。４Ｂの外部接続部８に高音用スピ−カ−ボックスの外部接続部１０を接続する。２１の前足を接続すると正面から見たスピ−カ−ボックスシステム及びスピ−カ−システムが出来上がる。【００２０】図２は、１Ａの低音用スピ−カ−ボックスに、２１の前足と２２の後足を接続し、１Ａの上に３Ｂの中低音用スピ−カ−ボックスを接続する。５Ｃの中高音用スピ−カ−ボックスを３Ｂの上に接続して、３Ｂと同型の４Ｂを５Ｃの上に接続する。４Ｂの上に６Ｄの高音用スピ−カ−ボックスを接続する。各々の接続は外部接続部やジョイント等で接続する。横から見たスピ−カ−ボックスシステム及びスピ−カ−システムが出来上がる。【００２１】図３は、１Ａの低音用スピ−カ−ボックスを組立前のブロックに分けたものであり、７のＭと７のＮ、７のＰと７のＱ、７のＲと７のＳの各外部接続部に、ワッシャ−やスペ−サ−や緩衝材を入れて組み立てることにより、又何も入れないで接続する等により多様な音質調整機構を持たすことが出来る。【００２２】図４は、比較的近くで音楽を聴くために、４Ｂの中低音用スピ−カ−ボックスを取り外して、６Ｄの高音用スピ−カ−ボックスを５Ｃの中高音用スピ−カ−ボックスに接続したものである。【００２３】図５は、中高音スピ−カ−ボックス５５Ｃと高音用スピ−カ−ボックス６６Ｄで、それぞれ１図の５Ｃと６Ｄを改変して３Ｂと４Ｂの中低音用スピ−カ−ボックスを下側に設置した中型システムである。１Ａの低音用スピ−カ−ボックスは一つで設置の自由度を大幅に増したものである。【００２４】以下、上記構成の動作を説明する。図１と図２の大型スピ−カ−ボックスシステム及び大型スピ−カ−システムは、接着剤で固定しなければ図３の１Ａ低音用スピ−カ−ボックスの分解図のようにブロック単位で分解組立出来るものである。この特徴は他のスピ−ボックス全てに備わる大きな長所であり、この柔軟なシステムデザインという新発想による機能美とデザインの極限の美しさは、図１と図２の基本システムから、大きさと機能を変更した図４と図５というシステムデザインでも保持され、それぞれが又特別な極限の美しさを発揮するのである。【００２５】図１の１Ａと２Ａの低音用スピ−カ−ボックスを取り外して、３Ｂの中低音用スピ−カ−ボックスに足を取り付けると、図８のように近接聴取用のモニタ−スピ−カ−として極限の性能を発揮し、モニタ−スピ−カ−の概念を覆すものと確信する。【００２６】図４の１Ａと２Ａの低音用スピ−カ−ボックスを取り外して、３Ｂの中低音用スピ−カ−ボックスに足を取り付けると、図６のようにモニタ−スピ−カ−としても活躍を期待出来るが、家庭用には狭い部屋でのスピ−カ−設置が容易となり、広い部屋に移動可能になったときは１Ａと２Ａの低音用スピ−カ−ボックスを追加して設置する事ができる。又４Ｂの中低音用スピ−カ−ボックスを追加設置すれば、１図の基本デザインに戻り極限の性能を獲得できる。この様に小型スピ−カ−から出発して、中型スピ−カ−へ更に大型スピ−カ−へのシステムアップが簡単に出来る。これにより使用者のスピ−カ−や音響に対する技術の理解力を高め、良い物を自分で作る喜びも獲得出来るのである。【００２７】図５の３Ｂと４Ｂを取り外して足を付けると、図７のように細身の小型システムが出来上がる。１図の９と５Ｃに１０と６Ｄを組み合わせ１１を足にすると、超小型システムができる。１図の基本図から多様に変化するシステムデザインは２１世紀の華である。
【図面の簡単な説明】
【００２８】
【図１】正面図  本発明の実施形態を示すスピ−カ−ボックスシステムのスピ−カ−を取り付けた状態。
【図２】横面図・断面図  同スピ−カ−ボックスシステムのスピ−カ−を取り付けた状態。（システム及びデザインの複雑化防止の為斜線を省略）
【図３】横面図・断面図  同スピ−カ−ボックスシステムの低音用ボックスをブロック別にした分解図。（斜線を省略）
【図４】正面図  同「図１」のスピ−カ−ボックスシステムを一部分機能とデザインを変更しスピ−カ−を取り付けた状態。
【図５】正面図  同「図１」のスピ−カ−ボックスシステムのデザインと機能を継承しながら、部分変更で中型システムにスケ−ルダウンした状態。
【符号の説明】
１Ａと２Ａ  低音用スピ−カ−ボックス
３Ｂと４Ｂ  中低音用スピ−カ−ボックス
５Ｃ        中高音用スピ−カ−ボックス
６Ｄ        高音用スピ−カ−ボックス
７          低音用外部接続部
８          中低音用外部接続部
９          中高音用外部接続部
１０        高音用外部接続部
１１        接続ジョイント
Ａ１とＡ２  低音用スピ−カ−
Ｂ１とＢ２  中低音用スピ−カ−
Ｃ          中高音用スピ−カ−
Ｄ          高音用スピ−カ−
２１        スピ−カ−の前足
２２        スピ−カ−の後足
１４        １Ａの１段目ブロック
１５        １Ａの２段目ブロック
１６        １Ａの３段目ブロック
１７        １Ａの４段目ブロック
７のＭと７のＮ    １Ａの外部接続部
７のＰと７のＱ    １Ａの外部接続部
７のＲと７のＳ    １Ａの外部接続部
５５Ｃと５６Ｃ    中高音用スピ−カ−ボックス
６６Ｄ            高音用スピ−カ−ボックス
９９              ５５Ｃと５６Ｃの外部接続部
１００            ６６Ｄの外部接続部
１１３            接続ジョイント
【図１】
2006115436.tif 000004
【図２】
2006115436.tif 000005
【図３】
2006115436.tif 000006
【図４】
2006115436.tif 000007
【図５】
2006115436.tif 000008
【図６】
2006115436.tif 000009
【図７】
2006115436.tif 000010
【図８】
2006115436.tif 000011
【手続補正書】
【提出日】平成16年12月27日(2004.12.27)
【手続補正１】
【補正対象書類名】特許請求の範囲
【補正対象項目名】全文
【補正方法】変更
【補正の内容】
【特許請求の範囲】
【請求項１】
スピ−カ−ボックスを分割して製作し、ブロック１・ブロック２・ブロック３・ブロック４等に部分を完成させ、各ブロックを組み立ててスピ−カ−ボックスを完成させる。この方法で制作すると、従来の考えでは製作不可能と思われる大型や、複雑なスピ−カ−ボックスも、比較的簡単に製作出来るようになる。
【請求項２】
ブロックから張り出した形で外部接続部・外部取り付け部・外部張り出し部を設ける。このブロックから張り出した部分を組み合わせてスピ−カ−ボックスを完成させる。
又、ブロックから張り出した部分を共用し、各種の音質調整機構を保有させる。
【請求項３】
ブロックから張り出した部分を利用し又は張り出した部分を増設し、複数のスピ−カ−ボックスを外部接続部やジョイント等で接続してスピ−カ−ボックスシステム・スピ−カ−システムとして完成させる。このように、ブロックから張り出した部分を利用して取り付ければ、５，１チャンネルスピ−カ−システムや超高域再生のリボンスピ−カ−等を簡単に増設する事が出来る。
【請求項４】
低音から高音までのスピ−カ−ボックスシステムは、接着剤で固定しなければ簡単に一つずつのスピ−カ−ボックスに分離でき、更に各スピ−カ−ボックスを接着剤で固定しなければブロック単位に分解する事ができる。今まで超高音の小さなスピ−カ−を追加事や超低音のスピ−カ−を５，１チャンネルシステムのように別に追加する事、更にホ−ンスピ−カ−システムのように形状的に一体化出来ない物もあったが、通常のスピ−カ−は簡単に分離・分割出来ないものであった。本発明・考案のように比較的簡単に組立・分解する事が出来るということは、接続部を利用し各スピ−カ−ボックスを前後に移動させ音源の時間軸調整や、スピ−カ−ユニット背圧の軽減、低音の量感・質感の調整が出来るようになった。更に密閉型スピ−カ−やバスレフ型スピ−カ−や後面開放型スピ−カ−等に、比較的簡単に変更することが出来る。
この様に分離・分割出来るという事は、小型の２ウエイスピ−カ−や中型の３ウエイスピ−カ−、更に大型の４ウエイスピ−カ−や５ウエイスピ−カ−等のスピ−カ−システムを、比較的簡単に製作することが出来、使用者が小型から大型まで、部屋の大きさや音の好み、更にデザインの好みを加味してシステム構築が出来る。又小型システムを購入後に、スピ−カ−ボックスと部品の追加等で、中型や大型へのシステムアップが非常に容易である。
【請求項５】
１図の基本デザインから４図と５図が生まれ、６図や７図更に、８図は比較的近接聴取用の高性能モニタ−スピ−カ−として、従来のスピ−カ−の概念を変えスタジオのメインシステムになるものと確信する。システムデザインの妙は２１世紀のエイリアンである。この様に上記各スピ−カ−ボックスシステムの部分を変形させる事で機能やデザインを容易に変更することが可能になる。
若者向けに販売する場合、プラモデルのように組立キットとしても発売すれば、デザインの美しさや、音質の良さだけでなく、物を作る楽しさや音響の複雑微妙な調整も自分で出来るようになる人が増加し、科学的教育に資すること大であると考える。
この様に本発明は、スピ−カ−ボックスのシステムデザイン及び、スピ−カ−システムデザインの根本的な革新により、非常に柔軟なシステム構築やシステム改変、及び統合したデザイン変更が容易に行えるようになった事が特徴であり、二十一世紀のスピ−カ−デザインに多大な影響を与え、先導的役割をはたすものと考えられる。
【手続補正２】
【補正対象書類名】明細書
【補正対象項目名】００２８
【補正方法】変更
【補正の内容】
【００２８】
「【図１】正面図」本発明の実施形態を示すスピ−カ−ボックスシステムのスピ−カ−を取り付けた状態。
「【図２】横面図・断面図」同スピ−カ−ボックスシステムのスピ−カ−を取り付けた状態。（システム及びデザインの複雑化防止の為斜線を省略）
「【図３】横面図・断面図」同スピ−カ−ボックスシステムの低音用ボックスをブロック別にした分解図。（斜線を省略）
「【図４】正面図」同「図１」のスピ−カ−ボックスシステムを一部分機能とデザインを変更しスピ−カ−を取り付けた状態。
「【図５】正面図」同「図１」のスピ−カ−ボックスシステムのデザインと機能を継承しながら、部分変更で中型システムにスケ−ルダウンした状態。
「【図６】正面図」同「図４」のスピ−カ−ボックスシステムの低音用ボックスを取り外し、小型システムにスケ−ルダウンした状態。
「【図７】正面図」同「図５及び図６」のスピ−カ−ボックスシステムから低音用ボックスを取り外し、超小型システムとした状態。
「【図８】正面図」同「図１」のスピ−カ−ボックスシステムから低音用ボックスを取り外し、中型システムとした状態。
【符号の説明】
１Ａと２Ａ  低音用スピ−カ−ボックス
３Ｂと４Ｂ  中低音用スピ−カ−ボックス
５Ｃ        中高音用スピ−カ−ボックス
６Ｄ        高音用スピ−カ−ボックス
７          低音用外部接続部
８          中低音用外部接続部
９          中高音用外部接続部
１０        高音用外部接続部
１１        接続ジョイント
Ａ１とＡ２  低音用スピ−カ−
Ｂ１とＢ２  中低音用スピ−カ−
Ｃ          中高音用スピ−カ−
Ｄ          高音用スピ−カ−
２１        スピ−カ−の前足
２２        スピ−カ−の後足
１４        １Ａの１段目ブロック
１５        １Ａの２段目ブロック
１６        １Ａの３段目ブロック
１７        １Ａの４段目ブロック
７のＭと７のＮ    １Ａの外部接続部
７のＰと７のＱ    １Ａの外部接続部
７のＲと７のＳ    １Ａの外部接続部
５５Ｃと５６Ｃ    中高音用スピ−カ−ボックス
６６Ｄ            高音用スピ−カ−ボックス
９９              ５５Ｃと５６Ｃの外部接続部
１００            ６６Ｄの外部接続部
１１３            接続ジョイント
２００            スピ−カ−の前足
【手続補正書】
【提出日】平成17年3月10日(2005.3.10)
【手続補正１】
【補正対象書類名】手続補正書
【補正対象項目名】手続補正２
【補正方法】変更
【補正の内容】
【手続補正２】
【補正対象書類名】明細書
【補正対象項目名】００２８
【補正方法】変更
【補正の内容】
【００２８】
【図１】正面図本発明の実施形態を示すスピ−カ−ボックスシステムのスピ−カ−を取り付けた状態。
【図２】横面図・断面図同スピ−カ−ボックスシステムのスピ−カ−を取り付けた状態。（システム及びデザインの複雑化防止のため斜線を省略）
【図３】横面図・断面図同スピ−カ−ボックスシステムの低音用ボックスをブロック別にした分解図。（斜線を省略）
【図４】正面図同「図１」のスピ−カ−ボックスシステムを一部分機能とデザインを変更しスピ−カ−を取り付けた状態。
【図５】正面図同「図１」のスピ−カ−ボックスシステムのデザインと機能を継承しながら、部分変更で中型システムにスケ−ルダウンした状態。
【図６】正面図同「図４」のスピ−カ−ボックスシステムの低音用ボックスを取り外し、小型システムにスケ−ルダウンした状態。
【図７】正面図同「図５及び図６」のスピ−カ−ボックスシステムから低音用ボックスを取り外し、超小型システムとした状態。
【図８】正面図同「図１」のスピ−カ−ボックスシステムから低音用ボックスを取り外し、中型システムとした状態。